(57)【要約】      （修正有）【課題】折りたゝんで格納する状態からカップに載置して使用する状態に変換する幅を小さくする一方、カップに対する使用時の装着を安定化する使い捨てドリップ式のコーヒー濾過器を提供する。【解決手段】縦の折曲げ線４を中心にして背面同士を接面するように２つに折曲げられる脚片部５，６を有する左右の脚体１，２を向い合せにして縦に揃える一方、該両脚体間に内部にコーヒー粉末を収納するフィルタを収め、その開口部１４を前記両脚体の上部背面部に止着して一体にし、不使用時には前記両脚体の脚片部５，６によって前記フィルタを挟み込んで保護し、使用時には該両脚体の脚端を左右に開いてカップの開口部に合せ、該脚端に形成する内外の挟持片１０，１１によりカップの縁に係止し装着する。【選択図】図１０
2006101992.tif 000002
【特許請求の範囲】
【請求項１】
縦の折曲げ線に沿って背面を接面状に折りたゝまれる２つの脚片部分を有し、下端部にカップの開口部縁に係止せしめる係止手段を有してなる左右対をなす脚体と、内部に適量のコーヒー粉末を収納し前記左右の脚体によって前記カップ上に支持される袋状をなすフィルタとからなり、
前記左右の脚体は前記２つの脚片部分の自由端側の一側縁部同士を互いに衝き合せる如く向合せに対設し、他方前記フィルタは開口部を上向きにして前記左右の脚体間に収めると共に、開口部の周縁部を両脚体の前記脚片部分の上部背面部に添わせ一体に止着して吊設状に支持し、これにより前記フィルタの左右片半部分ずつを各脚体の前記２つの脚片部分によって挟んで包み込み可能にする一方、該フィルタの前記開口部を開封可能に閉塞し、前記コーヒー粉末を封入してなることを特徴としたコーヒーの濾過器。
【請求項２】
請求項１の記載において、左右対をなす脚体は該各脚体を構成する２つの脚片部分の相対向する上端部間に並行する一対の接続片を渡し、脚体相互を連結すると共に該並行する接続片と両脚体の上端部とでフィルタの開口部と連通する湯の注入口部を形成してなることを特徴としたコーヒーの濾過器。
【請求項３】
請求項２の記載において、左右の脚体の２つの脚片部分の上端部間に渡す接続片には前記左右の脚体の間に収めるフィルタの開口部の周縁部を添わせ、これを一体に止着することを特徴としたコーヒーの濾過器。
【請求項４】
請求項２又は３の記載において、左右の脚体間に渡る接続片は両脚体と同一の素材によって一体成形することを特徴としたコーヒーの濾過器。
【請求項５】
請求項２又は３又は４の記載において、左右の脚体を連結する接続片は所要の幅員を有する帯状の片とすると共に、該接続片の幅方向を上下に向けて起立した状態で渡すことを特徴としたコーヒーの濾過器。
【請求項６】
請求項５の記載において、接続片には外に向く背面部に左右の脚体間に収めたフィルタの開口部周縁部を添わせ、一体に止着することを特徴としたコーヒーの濾過器。
【請求項７】
請求項１の記載において、フィルタはシート状フィルタ素材を２つに折って前後の片を形成し、該前後の片の左右両縁をそれぞれ縁部に沿って接合して扁平な袋状とすると共に、上記前後の片の上縁部から延設する止着片部を左右の脚体の各脚片部分の上端部背面に添わせ、該止着片部の周縁部分を接合して左右の脚体に止着することを特徴としたコーヒーの濾過器。
【請求項８】
請求項１の記載において、左右の脚体の下端部に形成する係止手段はカップの開口部縁を内と外から挟む内外の狭持片から構成されることを特徴としたコーヒーの濾過器。
【発明の詳細な説明】
【技術分野】
【０００１】
本発明は、使い捨てのドリップ式にかゝるコーヒー濾過器に関する。
【背景技術】
【０００２】
使い捨てのドリップ式のコーヒー濾過器については既に多くの提案があり、また実用化されて市販もされている。
この使い捨てのコーヒー濾過器は基本的な形態としてコーヒーカップ等適当な容器（以下、カップという。）の開口部上に載置し、或は開口部の縁に掛け止めてコーヒー粉末を収納する袋状のフィルタを支持し、フィルタの開口部から中のコーヒー粉末に湯を注ぐことで直接コーヒーの抽出液をカップに受け取る構造になっている。
【０００３】
このコーヒー濾過器は、使い捨てにすることから１個の単価を安くすることに併せ、取り扱い易い簡易な構造にしているが、予めフィルタ内にコーヒー粉末を収め一体に取り扱うことからコーヒー粉末の酸化を防止する必要がある。そのため、通常はコーヒー粉末をフィルタ内に封入したコーヒー濾過器を気密性の高い例えばアルミ箔をラミネート、若しくは蒸着したフィルムからなる包装袋に封入して保管取り扱うようにしている。
【０００４】
また、コーヒー粉末をフィルタに予め収納したコーヒー濾過器は、上述した保管上の理由の外に、販売する際の商品形態を整える上から個々に包装袋に封入されるが、更に取り扱いを容易にし、製造単価を下げるため小型化が図られており、多くは折りたゝむことによって小型化し、包装袋に収めるようにしている。
しかし、ドリップ式の濾過器の場合、フィルタを支える支持体についてフィルタをコーヒー液面に接触しない高さに支えることと、湯の注ぎ込みに耐えられるようにすること等強度保持の上から小型化には限界があり、包装形態を小型化することや形状を選んだりすることが困難な状況にある。
【０００５】
本特許出願人は、使い捨てにかゝるドリップ式のコーヒー濾過器について複数件の提案をしており、それらは提案後今日に至る間継続して実施され、市場において高い評価を得て代表的な使い捨てコーヒー濾過器として消費者間に周知され、定着するに至っている。この濾過器については例えば、特許文献１及び特許文献２に記載される包装体に封入されるコーヒーの濾過器を挙げることができる。
【特許文献１】特公昭６１−３６９３号公報。公報第１頁の特許請求の範囲の項、同第２頁右欄から第３頁右欄の実施例の項、及び図面第１，２，３，７，８図。
【特許文献２】特公昭５９−３０４１１号公報。公報第１頁の特許請求の範囲の項、同第１頁右欄第２３行目から第２頁右欄第３８行目、同第３頁左欄第３２行目から第４頁左欄第３行目。
【０００６】
上記両文献に記載されるコーヒーの濾過器は、特許文献１によれば、扁平な厚紙を素材にした基板４の両端に対をなす支持脚片６，６を一体に延設し、この支持脚片のそれぞれの脚端に内外の挟持片２１，２２を形成し、その一方この基板４の背面に基板４に開設する注湯口１０を囲んで濾紙袋２を止着し、これを吊設状に取付けたものとなっているもので、包装体１、つまり包装袋に収納する場合は前記基板４から両支持脚片６，６の中心を通る中心線１８に沿って２つに折りたゝみ、その間に前記コーヒー粉末３を収容した濾紙袋２を挟み込んで細長い扁平な板状にしてこれを包装体１内に収めるようにしている。
そして、使用する際には上記折りたゝみ状態を開いて扁平な板状に展開したのち、基板４を中心に両支持脚片６，６を同じ向きに門形に折り曲げて起立させ、各脚端に備える前記内外の挟持片２１，２２でコーヒーカップ１９の縁を挟み、このカップ上に載置し、その後注湯口１０を通して湯を注ぎ込むことによりコーヒー液をカップに抽出できるものとしている。
【０００７】
この文献に記載のコーヒー濾過器は、簡易な構造になってはいるが、構造に関わらずコーヒー粉末に湯を注ぐことによってコーヒー液を落下抽出するドリップ式の抽出法を採用することから本格的なレギュラーコーヒーを得ることができるものとなっており、通常のドリップ式濾過器によるコーヒーと遜色のないコーヒーが得られる特徴がある。
【０００８】
しかし、上記コーヒー濾過器における問題点は、更なる小型化を求めたとき、包装袋に格納する際折りたゝんだ濾過器が細長く折りたゝまれることによって、やゝ長尺な包装体形となり、この長さを脚体において一定の高さを確保する必要から縮小することができず、包装形態において細長く成らざるを得ないことにある。
また、使用する際に２つに折り曲げられた基板４及び両支持脚片６，６を一旦扁平に開き、板状に展開したのち、この左右の支持脚片６，６を基板４を中心に同一の方向に折り曲げ、倒Ｕ字形（門形）にした状態で、両脚端の内外の挟持片２１，２２をカップ１９の縁に挟持した状態に係止させる作業の煩わしさにある。
【０００９】
前者の問題は、小型化する上での１つの障害ではあるが、どちらかと言えば、形態の特異性にあり、上下、左右を揃えて正方形状の矩形形態としたいとき、これを不可能にすることで、商品化する上での一つの制約となる。
しかし、後者の問題は最初に使用するとき、不慣れに基づく問題ではあるが、簡単な利用を妨げる問題であって改善が求められる点である。
特に、扁平に伸びた左右の支持脚片６，６を倒Ｕ字形に折り曲げ、この状態で挟持片２１，２２をカップに装着する作業はやゝ複雑さがあり、或る程度の工夫と指先の器用さが求められる問題となっている。
【発明の開示】
【発明が解決しようとする課題】
【００１０】
本発明は、上述した使い捨てにかゝるドリップ式のコーヒー濾過器における欠点を改善するため研究開発されたものであり、コーヒー粉末を収納するフィルタの容量を小さくすることなく折りたゝまれる濾過器の形状を更に小型化することにある。
また、取り扱う上において最も便利な縦横の長さを揃えた正方形状の包装袋に収めることを可能にし、更に使用に際して折りたゝみ状態から使用状態に変える形態の変化を小さくして利用手順を簡素化し、取り扱いを容易にすること、そしてカップに対する装着性を改善し、安定した取付けが得られるようにしたドリップ式のコーヒー濾過器を提供しようとするものである。
【００１１】
ことに、カップ上に支持する脚体を起立した状態に載置し、コーヒー粉末を収めるフィルタを高く支持するタイプの濾過器、つまり、ドリップ式の濾過器は支持脚片の長さを吊設状に支持するフィルタの容量、即ち封入するコーヒー粉末の適量を収めるために求められる袋の大きさから短く（限界を超えて小さく）設定することができず、これが濾過器を小型化する上での一つの障害となっている。
本発明は、このフィルタを支える脚体を改善することによって折りたゝみ状態における小型化と、使用時における組立て、そして装着作業を容易なものにしてその取り扱いを容易にしたことにある。
【課題を解決するための手段】
【００１２】
本発明は上記目的を達成するため、内部にコーヒー粉末を封入する袋状のフィルタに対して一対の脚体を左右から臨ませ、対設した状態においてこの両脚体間に前記フィルタを収め、更にこの両脚体をそれぞれ縦の折り曲げ線に沿って２つに折りたゝんでフィルタの左右片半づつを挟み込むようにして濾過器全体を扁平に折り込み、これを扁平な包装袋への封入を可能にしたのである。
そして、使用に当っては前記縦の折曲げ線に沿って２つに折りたゝんだ両脚体を展開し、更に該脚体の脚端を左右に開いてカップの口径に合せ、該脚端に備える係止手段を介してカップの開口部縁に装着し、これによりカップ上に起立した状態で載置固定して両脚体の上端部間に開口する湯の注入口部を通してこの注入口部に臨むフィルタの開口部に湯を注ぎ込むことによりコーヒー液の抽出が行えるようにしたのである。
【００１３】
本発明を更に詳述すると、本発明のコーヒーの濾過器は、縦の折曲げ線に沿って背面を接面状に折りたゝまれる２つの脚片部分を有し、下端部にカップの開口部縁に係止せしめる係止手段を備えてなる左右対をなす脚体と、内部に適量のコーヒー粉末を収納する前記左右の脚体によって支持される袋状のフィルタとからなるコーヒーの濾過器にあって、前記左右の脚体は前記２つの脚片部分の自由端側の一側縁部同志を互いに衝き合せる如く向い合せにして対設し、他方前記フィルタは開口部を上向きにして前記左右の脚体間に収め、上記開口部の周縁部を両脚体の前記脚片部分の上部背面部に添わせて一体に止着し、吊設状に支持すると共にフィルタの左右片半部分ずつを各脚体の前記２つの脚片部分によって包み込み可能にする一方、該フィルタの前記開口部を開封可能に閉塞して前記コーヒー粉末を封入してなることを特徴としたことにある。
【００１４】
前記左右の脚体は所要の剛性を有する厚紙乃至プラスチックシート等シート状の素材を以て形成することになる。そして、それぞれは支持するフィルタの大きさに合せた長さを一辺とする矩形の扁平な板にして、その中心に縦の折曲げ線を設けて２分し、これにより前記２つの脚片部分を形成するのである。
【００１５】
上記２つの脚片部分は、不使用の状態にあるとき前記縦の折曲げ線に沿って互いの背面が接面するように折りたゝんでコーヒー粉末を封入するフィルタを挟み込み、これにより扁平な状態に形成する包装袋への挿入、格納を可能にし、またこの挟み込みによって上記フィルタに対する外部からの衝撃から護ることができることになる。
【００１６】
この左右の脚体のそれぞれは、フィルタに対して左右から臨んで挟み込むことから各脚片部分の挟み込みはフィルタの片半部分を被うものであればよい。つまり、上記各脚片部分については、その幅が折りたゝんだときのフィルタの左右方向の幅員の略２分の１の幅があれば充分であり、両脚体によってフィルタの全体を被うことができることになる。勿論、この脚片部分の幅は多少広くあっても、また狭くあってもよく、広い場合は左右の脚体の側縁同士が重なり、狭い場合は離れてフィルタの一部が露出する程度であり、保護の面で影響を受けることはない。
【００１７】
一方、前記フィルタは１回の使用で所定の濃度のコーヒー液が得られる量のコーヒー粉末（一人分の場合、通常は８ｇ前後の量になる。）と、これに注ぎ込む湯を溜められる容積を有する袋状であることが求められる。
このフィルタは、開口部を上向きにしてその周縁部を左右から臨む脚体の上部背面部に添わせ、一体に止着することによりこの左右の脚体の間に収められることになり、またこの止着部分を以て両脚体から吊設した状態で支持されることになる。
【００１８】
上記フィルタには、前述した如く予め所定量のコーヒー粉末が収められることになるが、使用に供されるまで、その開口部は開放可能に閉塞され、収納したコーヒー粉末のこぼれ出しが防止される。
上記開口部の閉塞にはヒートシールが適当であり、開口部を一線状に閉じ合せてこれをヒートシールにより閉塞し、開放時には指先でシール部分を押し込み、接着状態を破ることにより簡単に開放し、開口できるようにすることになる。
【００１９】
また一方、脚体に形成する前記係止手段については、脚端部分にカップの開口部縁に掛け止める舌状の片を突設することによって形成することになる。また、この係止手段は脚端部分にカップの開口部縁を内外から挟む内外の挟持片を設けることによっても形成することができる。
これらの係止手段は、いずれも脚体を形成する際に、脚体の一部として切り出すことによって設けることができるもので、脚体の脚端部分の一部として一体的に形成するものとなる。
【００２０】
ところで、前記２つの脚体は基本的に独立したものであり、前述のように両者共同することによって袋状のフィルタを支持するものとなるが、この左右に分れて対設される脚体は、上端部相互を連結して一体のものとし、フィルタを支持することになる。
この脚体相互の連結は、製造する上で、また使用時における安定性を得る上で有効であり、本発明を実施する上で最良の実施形態となる。
【００２１】
上記左右の脚体相互の連結は、厚紙等シート状物から脚体を切り出す際に両脚体間に接続片を形成することによって容易に実施することができる。
この場合、上記接続片は、矩形の板状に切り出される各脚体の上端部にあって互いに向き合う両側端部同志の間に並行するように２本渡すことによって形成することができる。  また、この２本の接続片を渡すことにより両脚体の上端部との間に囲まれた空間を設けることができ、ここに前記フィルタに対し湯を注ぎ込むための注入口部を設けることができる。
【００２２】
言うまでもなく、上記接続片は脚体の成形時に一体に成形することを条件とするものではなく、別に形成する帯状の片を渡すことによって、或は脚体と素材を異にした接続片を渡すことによって脚体相互を連結することを含むものであり、これらの方法によっても遜色なく本発明を実施することができる。
また、この接続片を渡し脚体相互を連結することに併せて、両脚体間に収める前記フィルタの開口部の一部、つまり左右の脚体の両上端部間に渡る開口部の部分を接続片に止着すると、脚体とフィルタとの結合が強化され安定した濾過器が得られることになる。
【００２３】
そして、この接続片とフィルタの開口部との止着に伴って前記形成される注入口部とフィルタの開口部とが一体となり、一つになることから注入口部に向けて注ぎ込む湯がそのまゝフィルタの開口部を通してその内部に封入するコーヒー粉末に注ぎ込めることになり、湯の零れ出し等を有効に防止することができることになる。
【００２４】
この様に構成してなる本発明濾過器は、袋状のフィルタを挟んで対設する左右の脚体をそれぞれ縦の折曲げ線に沿って２つに折りたゝみ脚片部分を２つに重ね合せることによって扁平にたゝまれることになり、また、この脚片部分の間に前記フィルタの片半ずつを挟み込むことによって全体が扁平に折りたゝまれることになる。
この結果、本発明濾過器は扁平に形成した包装体に挿入し、包装することができることになり、また折りたゝまれた左右の脚体は側縁部を衝き合せた状態でたゝまれることにより全体の形状が正方形状、若しくはこれに近い形状になり、同一形状をなす最も一般的で取扱い易い包装形態をなす包装体に収納することが可能になる。
【００２５】
特に本発明においてはフィルタを包み込む左右の脚体を、その上端部から脚端に至る長さ、つまり脚体全体の高さをフィルタの高さに揃えることが可能であり、これを超えて長くする必要がなくなることから折りたゝんだとき最小の大きさにすることができる。
つまり、濾過器を使用するに当って脚体をカップの上に起立載置したとき、この脚体に吊設状に支持されるフィルタの底の位置が脚体の脚端の位置と同じであれば、フィルタはカップに溜まるコーヒー液の液面に接触することがなくなる。従って、このフィルタの高さに対して脚体の高さを揃えることができるので、この分濾過器の全体を小型化することが可能となる。
【００２６】
上記の関係は、先に説明した特許文献１，２に記載のコーヒーの濾過器と比較すると明らかである。
即ち、特許文献における濾過器は、基板４と支持脚片６，６をその中心部において２つ折りにし、この間にフィルタを挟みこむようにして折りたゝむ場合、基板と支持脚片を２つ折りにした長さの中でフィルタを包み込むことになるが、このとき両支持脚片の脚端部分は挟み込まれるフィルタの大きさ、その範囲を越えて大きく左右に突き出すことになる結果、この突き出し部分が濾過器の小型化の妨げとなっている。
これに対して、本発明濾過器は脚体について上記特許文献に示される濾過器の支持脚片と仮に同一の大きさのものにしても、挟み込まれるフィルタを左右から個別に分割した形で挟み込み、このフィルタの大きさに一致することになることから折りたゝみ状態において両脚端がフィルタの大きさを超えて外に大きく突き出ることがなくなるのである。このため、この突き出し部分に相当する部分について実質的に小型化することができ、併せて包装体を小型にすることができるのである。  
【００２７】
また、本発明濾過器は、折りたゝんだ状態からカップの上に載置するため使用状態に変える場合、フィルタを挟む脚片部分を開き、そのまゝ左右の脚体の脚端をカップの口径に合せて開けば使用状態に変換することになり、極めて簡単な操作で組立を完了することができるものとなっている。
ことに、この形態の変換に当って、脚体は折りたゝみ状態から使用状態に移る間に大きな変化がなく、特に折りたゝみ状態にある左右の脚体は向き合った状態にあり支持態勢に近い姿にあるため、誰でも簡単に使用状態に形を変えることができるのである。
【００２８】
また、本発明濾過器は、カップ上に載置し、装着したとき、左右の脚体はそれぞれ中央の縦の折曲げ線に沿って２つの脚片部分をやゝ折曲げた状態で起立することから剛性が保たれ、安定した装着状態が維持できるものとなる。また、これに併せて上記折曲げ線上に係止手段の内側挟持片を設けるようにすると、この挟持片も縦の線によって横断面くの字形に屈曲することから剛性が高まり、カップの縁に対する係止力が強化し、安定した装着が得られることになる。
【００２９】
更に、上記装着時における両脚体の縦の折曲げ線を基準とした脚片部分の屈曲状態は上端部の開口部にまで及び、湯の注入口部をこの上端部において外に開くことから広く開口して湯の注ぎ込みを容易にすることになる。
また更に、両脚体の上端部同士を帯状の接続片によって連結するものとしたときには、両脚体の開き（開脚）に伴ってこの接続片が内向きに傾斜し、これに従って上方に突き出る縁部が外に突出すように開くため実質的に注入口部を広げることになり、この結果、更に湯の注ぎ込みを容易にすることになる。
【発明の効果】
【００３０】
以上説明の様に、本発明濾過器によれば、折りたゝんで包装袋に格納する姿と、コーヒー液を抽出するためカップ上に載置し使用する姿との間に大きな形状の変化がなく略同じ形態であることから、使用時に操作を間違えることがなく、誰にでも簡単に取り扱える利点がある。
また、左右の脚体は予め適量のコーヒー粉末を封入するフィルタの大きさに合せてその大きさ、特に幅と長さを決めることができるため小型化が図れると共に、その形状を正方形状に近い形にすることができるため多数個を収納する場合の包装形態として最も取り扱い易い一般的な形態とすることができ、商品の陳列形態としても有利である。
【００３１】
また、本発明濾過器は使用時における脚体が、左右独立して起立し、しかもフィルタを間にして向い合った姿勢のまま安定するため、カップの縁に係止させた脚端の挟持片が外れにくく、湯の注ぎ込みに当って湯圧を受けてカップから転倒落下するような危険を有効に回避できる利点がある。
次に、本発明を図面に示す実施の形態に基づき詳細に説明し、併せてその他の特徴につき説明することにする。
【発明を実施するための最良の形態】
【００３２】
添付する図面の図１は、本発明に係るドリップ式のコーヒー濾過器の折りたゝんだ状態における正面図で、図２は同じく右側面図、図３は同じく平面図、図４は同じく底面図である。そして、図５乃至図７は本発明のコーヒー濾過器をコーヒーカップ上に載置固定した使用状態を示しており、図５は正面図を、図６は側面図を、また図７は平面図を示している。
【００３３】
図面において、符号１，２は左右対をなす脚体であり、３は脚体によって支持される袋状に形成されるフィルタである。
左右の脚体１，２は、ここでは同一の形状にしてあり、それぞれはやゝ肉厚の紙片を材料にして正方形に近い矩形に切り出し形成してある。
そして、両脚体１，２はそれぞれ中心に縦の折曲げ線４を設け、この折曲げ線４を境にして２つの脚片部分５，５、６，６に２分割し、折曲げ線４に沿ってこの脚片部分を背面同士が接面する如く２つ折りに折り曲げられるようにしてあり、更にそれぞれの下端部、つまり脚端部７，７にカップ８の開口部縁８ａに係止させるための係止手段９，９を設けてある。
【００３４】
ここに示される上記係止手段９は、カップ８の縁８ａを内外から挟んで安定的に係止するため内外２つの挟持片１０，１１から構成してあり、それぞれは脚端部７，７に横長の切込み１２，１２を入れることにより形成してある。
上記切込み１２は、図示するようにＵ字形を横に広げた形に形成してこの切込み１２の中央部に舌状の内側挟持片１０を設け、この挟持片１０を取り囲むように外側挟持片１１を設けるようにしてあり、装着時には後述するように内側挟持片１０をカップの縁８ａの内側に差し入れ、縁８ａの外側に外側挟持片１１を添わせて内外から縁８ａを挟むことによって装着することができるようにしてある。
【００３５】
尚、脚端部７の中央部に設けられる内側挟持片１０は、中央に前記縦の折曲げ線４を通しており、装着時にはこの線４を中心に横断面形状がくの字形になるよう屈曲し、剛性が付与されるようにしてある。
そして、この内側挟持片１０を切り起す切込み１２は挟持片１０を挟む上縁部分１２ａ，１２ａを横向きの一線上に揃えると共に、やゝ横長に形成してカップ８に装着したとき、このカップの縁８ａをこの上縁部分１２ａ，１２ａに当接させ、安定した状態で係止できるようにしてある。
また、外側挟持片１１は内側挟持片１０を囲んで脚端部の全幅に亘って形成し、これによってカップ８に対する係止力を高めてある。尚、この外側挟持片１１については中央部分を切離して左右２つの挟持片とし、これにより中央の内側挟持片１０と合わせて３つの片に形成してもよく、これらは実施に際して任意選択することができる。
【００３６】
一方、フィルタ３は粉末にしたコーヒーを蓄え、湯の注ぎ込みによって濾過してコーヒー液を抽出できる紙製のフィルタを材料に形成してある。
後述するように、フィルタ３はここでは扁平に折りたゝめるように一枚のフィルタ用紙を前後２つに折って、その両縁部分１３，１３を接合し、上方を開放した袋状に形成してあり、開口部１４の周縁部１５を前記左右の脚体１，２の各上端部の背面部に止着し、左右２つの脚体１，２の間に収まるように組付け、両脚体によって均衡して支えられるようにしてある。
【００３７】
図８乃至図１２は前記脚体１，２とフィルタ３との関係を明らかにするため脚体１，２を展開し、脚体の構造とフィルタの構造並びに双方の位置関係を示したものである。ここに示す対をなす左右の脚体１，２は、一枚の横長の厚紙から切り出し、一体に連結したものとしてある。
図１０乃至図１２に示されるように左右の脚体１，２は、両体の上端部１７，１７を繋ぐように接続片１６，１６を配置し、上端部相互が向き合う状態に連結してある。そして、この前後両側に並行して渡る２つの接続片１６，１６と、上記脚体の上端部１７，１７によって左右の脚体１，２の間に矩形の空部を設け、フィルタ３に湯を注ぎ込む注入口部１８を形成している。
【００３８】
上記前後に並行する接続片１６，１６は、左右の脚体１，２を一つに連結するものであるが、ここに示すように一枚の厚紙から切り出し形成する場合には、前述したように左右の脚体１，２をそれぞれ折曲げ線４，４を中心にしてこの折曲げ線が外に突き出るように折曲げ、更に両脚体１，２を左右対立する如く向い合せにしたとき、つまり図１乃至図３に示す如く折りたゝみ、或は図５乃至図７に示す如く使用に当って脚体相互が向い合せにしたとき、脚片部分５，５、６，６がそれぞれ互いに側端縁同士を衝き合せる如く揃えてその面と面とを面一に揃えることから、これに合せて両接続片１６，１６も同じく上記脚片部分５，５、６，６の面と同一の向きとなるように揃えることが求められる。
【００３９】
つまり、一枚の厚紙から切り出す場合、脚片部分５，５そして６，６と接続片１６，１６とは同一の面に揃ったものとなるが、このままの状態で各脚体１、２における脚片部分５，５と６，６を２つ折りにたゝむと、上記接続片１６，１６の折りたゝみ方向が略９０度変ることになるため２つに折り曲げることができなくなる。
【００４０】
そこで本発明は、上記接続片１６，１６を左右の脚体１，２と共に一枚の厚紙から切り出す場合、或は別に形成する帯片状の接続片を脚体の上端部１７，１７間に渡して一体に連結する場合において面の切り変えを円滑に図るため、接続片１６，１６上に左右の長さ方向に対して４５度の角度をもった折曲げ線１９，１９をＶ字形に配することとしている。
この２本の折曲げ線１９，１９は図示するように外側に向って狭くなるように配置しても、また逆に内側に向って、つまり開口する注入口部１８に向って狭くなるように配置してもよい。
【００４１】
たゞ、この２本の折曲げ線１９，１９を内に向けて狭くなるように配置した場合は、接続片１６，１６の内側の縁１６ａ，１６ａが上に迫り上がって注入口部１８を狭くするので、好ましくは外側が狭く、内側が広くなるように、つまり図示する例の角度を以て配置することが望まれる。
この様にすると左右の脚体１，２を向い合せに揃えたとき、内側の縁１６ａ，１６ａが下になり、使用に当って両脚体１，２をやゝ広げたとき、この接続片１６，１６の上面が内側に向けて下り勾配となり、注入口部１８の開口幅を実質的に拡張させることになるからである（図６、図７参照）。
【００４２】
また、上記２本の折曲げ線１９，１９は接近する側の端部同士を一致させて、Ｖ字形になるようにしてもよいが、図示するように接近する側の端部を離して注入口部１８側から見たとき、この２本の折曲げ線１９，１９によって接続片１６，１６が台形状に折れ曲るようにすると、内側に向けて傾斜する面が広くなるので、開口幅を広げる上で有利になる。そして同時に、この接続片が起立したとき外側の縁が尖鋭に突き出さないので取り扱い上安全であると共に、包装袋を小型化することでも有利になる。
【００４３】
図中、２０は接続片１６の外側の縁折曲げ線１９，１９に沿って折曲げたとき、突き出し高さを小さくするため設けた切欠き部である。
尚、この接続片１６は幅を全体として狭めて細くすることにより、また長く形成することにより折曲げを容易にすることができるので、実施に際しては材料とする厚紙の剛性乃至濾過器の大きさに合せて幅、長さを選択するようにするとよい。
【００４４】
一方、フィルタ３は前述のように一枚のフィルタ紙を二つ折りにしてその両縁１３，１３を貼り合せ、扁平な袋に形成し、上方に延出する２つの止着片２１，２１を外に開いて脚体１，２の背面に貼り付けることによって組付けるようにしてある。
図１２は、フィルタ３の貼り付け前の状態を示しており、袋の内部には適量（約８ｇ前後の量）のコーヒー粉末を封入し、袋の口部２２を開封可能にヒートシールして一線状に閉じてある。
【００４５】
このフィルタ３を更に詳述すると、２つに折り曲げ、縁部１３，１３を貼り合せて扁平な袋にしたフィルタは、この袋の部分に適量のコーヒー粉末を封入することになるが、上記貼り合せの上端部を境にして延設される２つの止着片２１，２１を外に開き、これを取り付け片にして、この２片の周縁部１５に接着部１５ａを設け、この接着部１５ａを脚体１，２の背面に接面させて貼り付けるようにしている。
【００４６】
上記接着部１５ａは前記接続片１６，１６に対応する部分をこの片の幅に合せて狭くし、脚体の脚片部分５，５、６，６に対応する部分において三角形状にして止着片２１，２１の全面が脚体１，２の背面に貼り付くことがないようにして、接着部１５ａの内側の境界がフィルタ３の実質的な開口部１４となるようにしてある。
図１０，図１１は展開した左右の脚体１，２の背面に上記フィルタ３の止着片２１，２１を添わせ、接着部１５ａを接合して、組付けた状態を示している。フィルタ３の開口部１４はその縁部を接続片１６，１６の部分において注入口部１８の縁に接近させ、また両脚体１，２の背面部においてこの注入口部１８の縁から離して注入口部１８の口径より大きな口径となるようにしてある。
【００４７】
本発明に係るコーヒーの濾過器は、上述の如く構成されるもので、左右の脚体１，２を接続片１６，１６を介して一枚の厚紙から一体に切り出し形成する場合は、この脚体１，２を展開した状態にしてその背面にフィルタ３を添わせ、接着部１５ａを介して接合して一体に組付け、次に注入口部１８を通して開放する開口部１４からフィルタ内部に適量のコーヒー粉末を充填することになる。
【００４８】
次に、この様にしたのち上記フィルタ３を前後から扁平に潰し、止着片２１，２１の基部で寄り合う前後の面をヒートシールして袋部分の口部２２を一線状に開封可能に閉じ合わせる。
次に、両接続片１６，１６に形成する折曲げ線１９，１９を基点に２つに折曲げ、左右の脚体１，２同士を立ち上り状態に向い合せにして、更に各脚体１，２を折曲げ線４を中心に脚片部分５，５及び６，６をそれぞれ２つに折り曲げ、前記扁平にしたフィルタ３の袋部分を左右片半ずつ挟み込みこれを被覆し、折りたゝみを完了する。
【００４９】
図１乃至図４は、上記折りたゝみ状態を示しており、次に、この濾過器はこの折りたゝんだ状態で収納できる扁平な包装袋に格納し、密閉して保管され、或は運搬に供され、商品として陳列されることになる。
尚、図面には示していないが、包装袋は上述の如く折りたゝんだ濾過器の大きさに合せて略正方形に近い矩形の扁平な袋として形成することになる。
【００５０】
この折りたゝまれた濾過器は、使用に際しては、先ず気密に包装する包装袋から取り出し、次に向い合せに揃った左右の脚体１，２を接続片１６，１６を中心にしてそれぞれの脚端をカップ８の口径に合せて開き、次にフィルタ３の口部２２を押し開いて開放させる。そうした後、両脚体の下端の内側挟持片１０を裏面側に押込んで起し、この挟持片をカップ８の縁の内側に差し入れ、外側挟持片１１を縁の外側に添わせて内外から挟持させてカップ８に装着することになる。
【００５１】
図５乃至図７は、上記濾過器の装着状態を示している。装着は、カップ８に対して左右の脚体１，２がそれぞれ内外の挟持片１０，１１を縁８ａに噛ませてしっかり係止することから安定した状態で取付くことになる。ことにこの濾過器は両脚体１，２を折曲げ線４を中心に２つの脚片部分５，５及び６，６を折曲げ、やゝ断面くの字形にすることから剛性を発揮し、強い支持力を出すことになる。そして、図７に示したようにこのくの字形に屈曲することに伴って注入口部１８を左右に開くことから開口幅が広くなり、湯の注入を容易にすることになる。
【００５２】
また、上記装着に伴い両脚体を連結する接続片１６，１６が、脚体の脚片部分５，５、６，６の開きに伴って起立した状態から水平状態に向けて傾斜し、注入口部１８に向けて内向きに傾斜することからこの注入口部１８を更に広げることになり、湯の注ぎ込みを一層容易なものとし、湯の零れ出しによる危険を有効に回避することができる。
【００５３】
上記の如くカップ８に対して濾過器を安定的に装着し、載置固定したのちは、開口する
注入口部１８に湯を注ぎ込めばよく、フィルタ３内でコーヒー粉末に接触した湯はコーヒー成分を抽出し、そのまゝフィルタを通してコーヒー液となってカップ内に溜められることになる。
そして、所定量のコーヒー液を抽出したのちこの濾過器はカップから外し、そのまゝ廃棄処分され、使用を終了することになる。
【００５４】
勿論、上記説明では一人分のコーヒー液を抽出する場合を前提に説明したが、フィルタの容量を大型にしてコーヒー粉末の封入量を人数分に見合った量にすれば、２人分用、３人分用とすることができる。これらは設計者において適宜選択されることになる。
また、ここではコーヒーの濾過器としているが、コーヒー液の外、湯の注ぎ込みによって成分を抽出する例えば、だし汁を抽出する濾過器としても本発明を利用できることは言うまでもない。
【図面の簡単な説明】
【００５５】
【図１】本発明に係るコーヒーの濾過器の折りたゝんだ状態における正面図。
【図２】コーヒーの濾過器の折りたゝんだ状態における右側面図。
【図３】コーヒーの濾過器の折りたゝんだ状態における平面図。
【図４】コーヒーの濾過器の折りたゝんだ状態における底面図。
【図５】使用状態を説明する正面図。
【図６】使用状態を説明する右側面図。
【図７】使用状態を説明する平面図。
【図８】濾過器を展開した状態の正面図。
【図９】濾過器を展開した状態の右側面図。
【図１０】濾過器を展開した状態の平面図。
【図１１】濾過器を展開した状態の底面図。
【図１２】濾過器を展開した状態の分解斜視図である。
【符号の説明】
【００５６】
１，２      脚体
３          フィルタ
４          脚体の中心に縦に配置した折曲げ線
５，６      脚体を構成する脚片部分
７          脚端部である脚体の下端部
８          カップ
９          係止手段
１０        内側挟持片
１１        外側挟持片
１４        フィルタの開口部
１５ａ      フィルタの接着部
１６        左右の脚体を連結する接続片
１７        脚体の上端部
１８        注入口部
１９        接続片を折りたたむ折曲げ線
２１        止着片
２２        フィルタの閉塞される口部
【図１】
2006101992.tif 000003
【図２】
2006101992.tif 000004
【図３】
2006101992.tif 000005
【図４】
2006101992.tif 000006
【図５】
2006101992.tif 000007
【図６】
2006101992.tif 000008
【図７】
2006101992.tif 000009
【図８】
2006101992.tif 000010
【図９】
2006101992.tif 000011
【図１０】
2006101992.tif 000012
【図１１】
2006101992.tif 000013
【図１２】
2006101992.tif 000014